(57)【特許請求の範囲】
【請求項１】
窓材に対して設置され、太陽光を透過する基材シートと、当該基材シートに形成される熱線遮蔽部とを備える熱線遮蔽シートにおいて、
前記基材シートは可撓性を有し、少なくともその一方の主面上に互いに間隔をおいて複数の凹部が設けられており、当該複数の凹部の吸着作用によって前記窓材に貼着するように構成され、
前記窓材と貼着されている状態において、当該窓材と前記一方の主面との間に空隙が形成され、
前記基材シートの前記一方の主面上には、厚み方向の長さが異なる複数の凹部が設けられている
ことを特徴とする、熱線遮蔽シート。
【請求項２】
前記基材シートの前記一方の主面上には、前記凹部が形成された吸着面と、当該吸着面とは反対側の面から突設された軸部とを具備する吸盤が複数設けられている、
請求項１に記載の熱線遮蔽シート。
【請求項３】
前記吸着面に前記熱線遮蔽部が形成されている、
請求項１又は２に記載の熱線遮蔽シート。
【請求項４】
前記基材シートの他方の主面上に互いに間隔をおいて複数の凹部が設けられている、
請求項１乃至３の何れかに記載の熱線遮蔽シート。
【請求項５】
前記熱線遮蔽部が、可視光に対して透明な導電性金属酸化物微粒子で構成されている、
請求項１乃至４の何れかに記載の熱線遮蔽シート。
【請求項６】
前記導電性金属酸化物微粒子が、ＡＴＯ微粒子及びＩＴＯ微粒子からなる群より選択される１種以上である、
請求項５に記載の熱線遮蔽シート。
【請求項７】
前記基材シートには帯状をなす複数の熱線遮蔽部が形成されており、当該複数の熱線遮蔽部の少なくとも一部が連結されている、
請求項１乃至６の何れかに記載の熱線遮蔽シート。
【発明の詳細な説明】
【技術分野】
【０００１】
本発明は、熱線（赤外線）を効果的に遮蔽する熱線遮蔽シートに関し、特に可撓性を有する熱線遮蔽シートに関する。
【背景技術】
【０００２】
近年、建物に設けられた窓ガラス等に貼着され、熱線を遮蔽する機能を有する熱線遮蔽シートが普及している。しかしながら、このような熱線遮蔽シートの場合、建物の室内での温度上昇を抑制することができる一方で、窓ガラスのうちの熱線遮蔽シートが密着している部分の温度は上昇するため、密着していない部分（周縁部等）との温度差が大きくなり、その結果窓ガラスの熱割れが生じやすくなるという問題がある。特に網入りガラスの場合、その温度差がより一層大きくなるため、熱割れの発生が生じやすい。
【０００３】
このような熱割れを防止するための熱線遮蔽材が種々提案されている。例えば、特許文献１には、光制御層と、その光制御層に積層された熱伝導層とを備えるウインドウフィルムが開示されている。この光制御層は、ウインドウフィルムのフィルム面に沿った第１方向に配列された複数の第１部分であって、各々が、第１方向と非平行であるとともにフィルム面に沿った第２方向に延びている複数の第１部分と、その第１部分と第１方向に交互に配列された複数の第２部分であって、熱線を吸収する熱線吸収材を含む複数の第２部分とを有している。また、熱伝導層の熱伝導率は、１０Ｗ／ｍ・ｋ以上とされている。
【０００４】
このウインドウフィルムの場合、熱伝導層が、熱線を吸収した第２部分から熱を受け取ることによって、第２部分の蓄熱を抑制することができる。そして、熱伝導層は、その受取った熱を自身の内部で拡散させる。これにより、このウインドウフィルムと積層される窓ガラスのうちの第２部分に対面する部分へ局所的に熱が伝わることを抑制することができるため、窓ガラス内の温度差の増大を抑制することができ、熱割れを効果的に回避することができる。
【０００５】
また、特許文献２には、透明高分子フィルムよりなるスクリーン基材と、そのスクリーン基材の少なくとも一方面に接着された透明積層フィルムとを備え、その透明積層フィルムが透明高分子フィルムよりなるフィルム基材の少なくとも一方面に日射遮蔽性を有する積層構造部を備えた構成の透明ロールスクリーンを、網入り窓ガラスに対し、室内側のガラス面から１〜３００ｍｍの範囲内で離して室内側のガラス面に沿って室内側に配置する網入り窓ガラスの日射調整方法が開示されている。
【０００６】
この日射調整方法の場合、網入り窓ガラスの室内側において、ガラス面から特定距離だけ離した上でそのガラス面に沿って日射遮蔽性を有する透明ロールスクリーンを配置するため、日射遮蔽性を有するものが網入り窓ガラスのガラス面に密着することがない。その結果、日射の吸収に起因する熱が網入り窓ガラスに伝達されるのを抑えることができるため、網入り窓ガラスの熱割れを効果的に回避することができる。
【先行技術文献】
【特許文献】
【０００７】
【特許文献１】特開２０１５−２１２５７号公報
【特許文献２】特開２０１２−２０７４４４号公報
【発明の概要】
【発明が解決しようとする課題】
【０００８】
しかしながら、上述した従来のウインドウフィルムの場合、複数の第１部分及び熱線吸収剤を含む複数の第２部分を所定の形状で形成するとともに、特定の熱伝導率を有する熱伝導層を備える等、その構造が複雑であるため、低コスト化が困難である等の問題がある。また、上述した従来の日射調整方法の場合、透明ロールスクリーンがガラス面から離れて室内に配置されるため、窓ガラスとロールスクリーンとの間に無駄なスペースが生じるという問題がある。
【０００９】
本発明は、かかる事情に鑑みてなされたものであり、その主たる目的は、上記課題を解決することができる熱線遮蔽シートを提供することにある。
【課題を解決するための手段】
【００１０】
上述した課題を解決するために、本発明の一の態様の熱線遮蔽シートは、窓材に対して設置され、太陽光を透過する基材シートと、当該基材シートに形成される熱線遮蔽部とを備える熱線遮蔽シートにおいて、前記基材シートは可撓性を有し、少なくともその一方の主面上に互いに間隔をおいて複数の凹部が設けられており、当該複数の凹部の吸着作用によって前記窓材に貼着するように構成され、前記窓材と貼着されている状態において、当該窓材と前記一方の主面との間に空隙が形成され、前記基材シートの前記一方の主面上には、厚み方向の長さが異なる複数の凹部が設けられていることを特徴とする。
【００１１】
上記態様において、前記基材シートの前記一方の主面上には、前記凹部が形成された吸着面と、当該吸着面とは反対側の面から突設された軸部とを具備する吸盤が複数設けられていてもよい。
【００１２】
また、上記態様において、前記吸着面に前記熱線遮蔽部が形成されていてもよい。
【００１４】
また、上記態様において、前記基材シートの他方の主面上に互いに間隔をおいて複数の凹部が設けられていてもよい。
【００１５】
また、上記態様において、前記熱線遮蔽部が、可視光に対して透明な導電性金属酸化物微粒子で構成されていてもよい。この場合に、前記導電性金属酸化物微粒子が、ＡＴＯ微粒子及びＩＴＯ微粒子からなる群より選択される１種以上であることが好ましい。
【００１６】
さらに、上記態様において、前記基材シートには帯状をなす複数の熱線遮蔽部が形成されており、当該複数の熱線遮蔽部の少なくとも一部が連結されていてもよい。
【発明の効果】
【００１７】
本発明によれば、簡易な構成で窓材の熱割れを防止することが可能になる。
【図面の簡単な説明】
【００１８】
【図１】本発明の実施の形態１に係る熱線遮蔽シートの構成を示す正面図。
【図２】図１のＡ−Ａ線断面図。
【図３】窓材に吸着された状態における熱線遮蔽シートの構成を示す断面図。
【図４】本発明の実施の形態１に係る熱線遮蔽シートの変形例の構成を示す断面図。
【図５】窓材に貼着された状態における熱線遮蔽シートの変形例の構成を示す断面図。
【図６】本発明の実施の形態１に係る熱線遮蔽シートの変形例の構成を示す正面図。
【図７】本発明の実施の形態１に係る熱線遮蔽シートの変形例の構成を示す正面図。
【図８】本発明の実施の形態１に係る熱線遮蔽シートの変形例の構成を示す断面図。
【図９】本発明の実施の形態１に係る熱線遮蔽シートの変形例の構成を示す断面図。
【図１０】本発明の実施の形態１に係る熱線遮蔽シートの変形例の構成を示す断面図。
【図１１】本発明の実施の形態１に係る熱線遮蔽シートの変形例の構成を示す断面図。
【図１２】本発明の実施の形態２に係る熱線遮蔽シートの構成を示す正面図。
【図１３】図１２のＢ−Ｂ線断面図。
【図１４】窓材に貼着された状態における熱線遮蔽シートの構成を示す断面図。
【発明を実施するための形態】
【００１９】
以下、本発明の好ましい実施の形態を、図面を参照しながら説明する。なお、以下に示す各実施の形態は、本発明の技術的思想を具体化するための熱線遮蔽シートを例示するものであって、本発明の技術的思想は下記のものに限定されるわけではない。本発明の技術的思想は、特許請求の範囲に記載された技術的範囲内において種々の変更を加えることができる。
【００２０】
（実施の形態１）
図１は、本発明の実施の形態に係る熱線遮蔽シートの構成を示す正面図である。また、図２は図１のＡ−Ａ線断面図である。なお、以下では、図１の紙面上下方向を熱線遮蔽シートの上下方向とし、紙面左右方向を同じく左右方向とする。
【００２１】
図１及び図２に示すとおり、熱線遮蔽シート１は、矩形状の光透過シート２と、この光透過シート２の一方の主面上で上下左右にマトリクス状に配設された複数の吸盤２１，２１，…とを備えている。これらの複数の吸盤２１，２１，…が後述するように熱線を遮蔽するための熱線遮蔽部として機能するため、熱線遮蔽シート１は、建物の窓ガラス及び自動車のガラス等の窓材に貼着されることによって窓材用の熱線遮蔽材として機能する。本実施の形態の場合、光透過シート２における複数の吸盤２１，２１，…が設けられている側の面が窓材側に配置される。以下では、この複数の吸盤２１，２１，…が設けられている側の面を内側の面と呼び、その反対側の面、すなわち太陽光を直接受ける側の面を外側の面と呼ぶ。
【００２２】
光透過シート２は、可撓性を有し、太陽光を透過する材質、例えば透明なシリコン樹脂等で構成されており、その厚みは０．５ｍｍ乃至２．０ｍｍ程度である。
【００２３】
光透過シート２の内側の面上に設けられている各吸盤２１は、凹状の吸着面２１ａと、その吸着面２１ａとは反対側の面の中央部から突設され、光透過シート２の内側の面に連結された円筒状の軸部２１ｂとを備えている。吸着面２１ａは正面視で円形状をなしており、その全面は、熱線に対して透過率が低い熱線遮蔽材料で構成されている。これにより、この吸着面２１ａが熱線遮蔽部として機能する。本実施の形態の場合、熱線遮蔽材料として、可視光に対して透明な導電性金属酸化物が用いられる。また、軸部２１ｂは、光透過シート２と同様に、透明なシリコン樹脂等で構成されている。なお、本実施の形態では各吸盤２１の吸着面２１ａの全面が熱線遮蔽材料で構成されているが、その一部の面のみが熱線遮蔽材料で構成されており、他の面は透明なシリコン樹脂等で構成されていてもよい。また、複数の吸盤２１，２１，…のうちの一部の吸着面２１ａのみが熱線遮蔽材料で構成されており、それ以外は透明なシリコン樹脂等で構成されていてもよい。
【００２４】
各吸盤２１の吸着面２１ａは、透明な導電性金属酸化物微粒子を溶媒中に分散して得た分散液を固化させて成形することにより得られる。ここで、透明な導電性金属酸化物微粒子としては、酸化アンチモンスズ（ＡＴＯ）微粒子を用いることができる。但し、これに限定されるわけではなく、酸化インジウムスズ（ＩＴＯ）、酸化チタン、酸化アルミニウム、酸化セリウム、酸化ハフニウム、酸化ケイ素、酸化ジルコニウム、酸化タンタル、酸化イットリウム、及び酸化タングステン等を主成分とする金属酸化物の微粒子を用いることができる。なお、これらの金属酸化物は、単独で用いられてもよく、また、２種以上が混合されて用いられてもよい。
【００２５】
なお、上記の分散液には、繊維径が１乃至１００ｎｍ程度のセルロースナノファイバーが含まれていてもよい。可視光線の波長よりも細かいセルロースナノファイバーを分散液に含めることによって、可視光線を散乱させることなく透過した上で、各吸盤２１の吸着面２１ａの強度を保つことができる。
【００２６】
本実施の形態において、各吸盤２１の吸着面２１ａは、太陽光に含まれる波長のうち赤外線領域（７８０ｎｍ程度以上）の範囲内にある波長を反射する性質を有している。この吸着面２１ａを構成する導電性金属酸化物微粒子は、当該範囲の波長領域の光に対してミー散乱を生じさせる程度の平均粒子径（粒度分布の平均値）を有している。ミー散乱は、粒子の大きさが光の波長と同程度（光の波長の１／１０より大きい）の場合に生じる光の散乱である。本実施の形態では、７８０ｎｍ乃至２．５μｍ程度の波長の光に対してミー散乱を生じさせることを想定しているため、導電性金属酸化物微粒子の平均粒子径は、７８ｎｍ乃至２．５μｍ程度である。
【００２７】
上述したように構成された本実施の形態の熱線遮蔽シート１は、吸盤２１の吸着作用によって窓材に対して貼着される。図３は、このように窓材に貼着された状態における熱線遮蔽シート１の構成を示す断面図である。図３に示すように、窓材１００の一面に各吸盤２１の吸着面が吸着することにより、熱線遮蔽シート１が窓材１００に貼着される。この状態において熱線遮蔽シート１の外側の面から当該熱線遮蔽シート１及び窓材１００に対して太陽光が照射されると、太陽光のうち、可視光線は熱線遮蔽シート１及び窓材１００を通過し、熱線は熱線遮蔽シート１の各吸盤２１の吸着面（熱線遮蔽部）によって吸収又は反射される。これにより、窓材１００の内側での温度上昇を抑制することができる。
【００２８】
図３に示すとおり、熱線遮蔽シート１が窓材１００に貼着された状態においては、光透過シート２の内側の面のうちの吸盤２１が形成されていない面と、窓材１００の吸着面との間に空隙が形成されている。この空隙により、熱線遮蔽シート１及び窓材１００に対して太陽光が照射された場合に放熱が図られる。その結果、窓材１００がガラス板で構成されている場合であっても、熱割れの発生を抑制することができる。そのため、例えば網入りの窓ガラス等のように熱割れを生じやすい窓材に対しても熱線遮蔽シート１を適用することが可能となる。また、窓材１００の全面ではなく、その一部の面のみに熱線遮蔽シート１を貼付するような態様での使用も可能となる。
【００２９】
本実施の形態の場合、吸盤２１の吸着作用により熱線遮蔽シート１を窓材１００に貼着することができるため、粘着材等は不要であり、しかも再貼着が容易になる等のメリットも生じる。また、熱線遮蔽シート１と窓材１００との間に空隙が形成されるため、熱線遮蔽シート１を貼り合わせるときの空気抜き用の孔などを別途設ける必要がないというメリットも生じる。
【００３０】
また、本実施の形態の場合、熱線遮蔽部として機能する吸盤２１の吸着面２１ａが窓材１００の一面に吸着されるため、熱線遮蔽シート１の使用状態において、熱線遮蔽部（吸着面２１ａ）が外部に露出することがない。そのため、損傷等の不具合が熱線遮蔽部に生じることを回避することができる。
【００３１】
なお、熱線遮蔽シート１はシリコン樹脂等の軟質な材料で構成されているため、例えばロール状にして保管しておくことができる。そのため、保管の際の省スペース化を図ることができる。また、適宜のサイズへの加工が容易になる等、作業性を向上させることができる。
【００３２】
（吸盤の配設面）
本実施の形態の場合、吸盤２１は光透過シート２の内側の面のみにしか配設されていないが、図４に示すように、光透過シート２の外側の面にも吸盤２１が配設されていてもよい。このように光透過シート２の両面に吸盤２１が配設されている場合、図５に示すように、光透過シート２の内側の面を窓材１００に貼着するとともに、その外側の面をアクリル製又はポリカーボネート製等の透明な樹脂板１０１等に貼着することができる。この樹脂板１０１において、熱線遮蔽シート１と同様の熱線遮蔽部が適宜の位置に形成されている場合、熱線遮蔽シート１の熱線遮蔽部及び樹脂板１０１の熱線遮蔽部が二重の遮蔽領域として機能することになるため、熱線遮蔽シート１単体の場合と比べて熱線遮蔽性を高めることができる。なお、この場合に、樹脂板１０１を上下方向にずらして熱線遮蔽シート１に貼着することによって、熱線遮蔽シート１の熱線遮蔽部と樹脂板１０１の熱線遮蔽部との上下方向における位置関係を変化させることができる。この位置関係を変化させると、熱線遮蔽シート１及び樹脂板１０１の熱線遮蔽部にて吸収又は反射される熱線の量、換言すると、熱線遮蔽シート１及び樹脂板１０１を通過する熱線の量が変化する。そのため、この位置関係を調整することによって、熱線遮蔽性を制御することが可能になる。
【００３３】
（熱線遮蔽部の形状及び配置）
本実施の形態の場合、光透過シート２の一面上に複数の吸盤２１，２１，…が６行６列で形成されているが、これは一例に過ぎず、熱線遮蔽性が必要となる領域の大きさ等に応じて適宜の数の吸盤２１，２１，…が形成されていればよい。
【００３４】
また、本実施の形態の場合、熱線遮蔽部として機能する各吸盤の吸着面は正面視で円形状をなしているが、この形状はこれに限定されるわけではない。図６は、吸盤の吸着面の形状が実施の形態１の場合とは異なる変形例の構成を示す正面図である。図６に示すとおり、この変形例の場合、光透過シート２の一方の主面上に、吸着面２１ａが正面視で左右方向に長い楕円形状をなしている複数の吸盤２１，２１，…が上下左右にマトリクス状に配設されている。このように吸盤２１の吸着面２１ａが左右方向に長い楕円形状をなしている場合、実施の形態１のように当該吸着面が円形状の場合と比べて、左右方向に連続して長い熱線遮蔽領域を形成することができる。これにより、熱線遮蔽性を高めることができる。その他にも当該吸盤の吸着面を様々な形状とすることが可能である。なお、この変形例では複数の吸盤２１，２１，…がマトリクス状に配置されているが、この配置に限定されるわけではなく、図７に示すように奇数行における吸盤２１，２１，…及び偶数行における吸盤２１，２１，…が列方向（左右方向）で所定のピッチずれて配置されていてもよい。これ以外にも、例えば奇数列における吸盤２１，２１，…及び偶数列における吸盤２１，２１，…が行方向（上下方向）で所定のピッチずれて配置される等、様々な態様が実現可能である。
【００３５】
また、本実施の形態では、各吸盤２１が熱線遮蔽部として機能するが、これに代えて、またはこれと共に、他の領域に熱線遮蔽部が形成されていてもよい。図８乃至図１１は、光透過シート２側に熱線遮蔽部が設けられている変形例の構成を示す断面図である。図８に示す変形例では、左右方向に沿って互いに平行するように延びる複数の溝が光透過シート２の外側の面内に形成されており、その各溝内に、本実施の形態の場合と同様に透明な導電性金属酸化物で構成された帯状の熱線遮蔽部２２，２２，…が埋設されている。これらの熱線遮蔽部２２，２２，…は、吸盤２１，２１，…の各行と対応する高さに設けられている。このように、各吸盤２１とは別の領域に熱線遮蔽部２２が設けられた場合でも、本実施の形態の場合と同様の熱線遮蔽性を得ることができる。
【００３６】
なお、複数の帯状の熱線遮蔽部２２，２２，…は、光透過シート２の内側の面内に形成されていてもよい。また、吸盤２１，２１，…の各行と対応する高さとは異なる位置に形成されていてもよい。すなわち、図９に示すように、複数の帯状の熱線遮蔽部２２，２２，…が、光透過シート２の内側の面内に形成された溝内であって、吸盤２１，２１，…の各行の間に配設されていてもよい。
【００３７】
また、帯状の熱線遮蔽部２２，２２が光透過シートの面内に埋設されるのではなく、光透過シート２の表面上に固着されるようにしてもよい。図１０には、光透過シート２の内側の面上に帯状の熱線遮蔽部２２，２２が固着されている構成が示されている。勿論、光透過シート２の外側の面上に帯状の熱線遮蔽部２２，２２が固着されていても構わない。
【００３８】
上記の変形例では、帯状の複数の熱線遮蔽部２２，２２，…は物理的に連結されていないが、これらを物理的に連結するようにしてもよい。その場合、ゼーベック効果が生じて、吸収した熱を電力エネルギーに変換して放出することができるため、更なる放熱が期待できる。具体的には、図１１に示すように、光透過シート２内の上下方向に延びる線状の熱線遮蔽部２３を設け、この熱線遮蔽部２３によって複数の帯状の熱線遮蔽部２２，２２，…を連結する。この場合、熱線遮蔽部２３により連結されている熱線遮蔽部２２，２２，…が熱電素子として機能し、高温になっている熱線遮蔽部２２と低温になっている熱線遮蔽部２２との間に電流が流れて放熱が図られる。なお、光透過シート２におけるすべての熱線遮蔽部２２，２２，…が連結されていなくてもよく、その一部のみが連結される構成であってもよい。すなわち、少なくとも一方の光透過板における熱線遮蔽部２２，２２，…の少なくとも一部が連結されていればよい。
【００３９】
熱線遮蔽部２２がＡＴＯを含んで構成されている場合、ＡＴＯはアンチモン及びスズで構成されているため、これらの二種類の金属によって上記のゼーベック効果が奏されると考えられる。同様に、熱線遮蔽部２２がＩＴＯを含んで構成されている場合、ＩＴＯはインジウム及びスズで構成されているため、これらの二種類の金属によって上記のゼーベック効果が奏されると考えられる。ゼーベック効果をより一層高めるためには、熱電対の材料として一般的に用いられている、銅、鉄、クロメル及びコンスタンタン等を熱線遮蔽部２２に含ませるようにするとよい。
【００４０】
なお、上述した変形例では、熱線遮蔽部２２が断面視で上下方向に長い矩形状をなしているが、この形状に限定されるわけではなく、様々な形状を採用することができる。例えば、熱線遮蔽部２２が断面視で三角形状をなしていてもよく、また、断面視で略半円状をなしていてもよい。その他、様々な多角形状又は曲線を有する形状等とすることが可能である。また、熱線遮蔽部２２が、光透過シート２の左右方向の一方の端部から他方の端部まで連続する帯状ではなく、その一部が途切れた不連続な帯状をなしていても構わない。
【００４１】
（実施の形態２）
実施の形態１の熱線遮蔽シートでは光透過シートの主面上に吸盤が設けられているが、これ以外の構成であっても、熱線遮蔽シートを吸着作用によって窓材に貼着することは可能である。実施の形態２の熱線遮蔽シートは、光透過シートの主面内に設けられた凹部の吸着作用により窓材に貼着される。以下、その構成の詳細について説明する。
【００４２】
図１２は、本発明の実施の形態２に係る熱線遮蔽シートの構成を示す正面図である。また、図１３は図１２のＢ−Ｂ線断面図である。図１２及び図１３に示すとおり、熱線遮蔽シート３は、矩形状の光透過シート４を備えており、その光透過シート４の一方の主面内には正面視円形状をなす複数の凹部が上下左右にマトリクス状に配設されている。これらの複数の凹部のうち、奇数行には小径の凹部４１，４１，…が、偶数行には大径の凹部４２，４２，…がそれぞれ配されている。図１３に示すように、小径の凹部４１，４１，…の厚み方向の長さは、大径の凹部４２，４２，…のそれよりも小さくなっている。
【００４３】
上記の各凹部４１の凹面４１ａ及び各凹部４２の凹面４２ａは、その全面が熱線に対して透過率が低い熱線遮蔽材料で構成されている。これにより、これらの凹面４１ａ及び４２ａが熱線遮蔽部として機能する。熱線遮蔽材料としては、実施の形態１の場合と同様に可視光に対して透明な導電性金属酸化物を用いることができる。なお、本実施の形態では各凹部４１の凹面４１ａ及び各凹部４２の凹面４２ａの全面が熱線遮蔽材料で構成されているが、その一部の面のみが熱線遮蔽材料で構成されており、他の面は透明なシリコン樹脂等で構成されていてもよい。また、複数の凹部４１，４１，…のうちの一部の凹面４１ａのみ及び／又は複数の凹部４２，４２，…のうちの一部の凹面４２ａのみが熱線遮蔽材料で構成されており、それ以外は透明なシリコン樹脂等で構成されていてもよい。
【００４４】
上述したように構成された本実施の形態の熱線遮蔽シート３は、各凹部４１及び４２の吸着作用によって窓材に対して吸着される。図１４は、このように窓材に貼着された状態における熱線遮蔽シート３の構成を示す断面図である。熱線遮蔽シート３の内側の面を窓材１００の一面に圧接して貼り合わせると、光透過シート４の各凹部４１及び４２内の空間が減圧されることにより各凹部４１及び４２が窓材１００の一面側に撓み、その結果熱線遮蔽シート３が窓材１００に貼着される。このとき、凹部４１は略真空状態まで減圧されることにより強い吸着作用を発揮する一方で、凹部４１よりも厚み方向の長さが大きい凹部４２には空気が残り、その領域が熱線遮蔽シート３と窓材１００の吸着面との間の空隙となる。
【００４５】
上述したようにして窓材１００の一面に熱線遮蔽シート３が貼着された状態において、熱線遮蔽シート３の外側の面から当該熱線遮蔽シート３及び窓材１００に対して太陽光が照射されると、太陽光のうち、可視光線は熱線遮蔽シート３及び窓材１００を通過し、熱線は各凹部４１及び各凹部４２の凹面（熱線遮蔽部）によって吸収又は反射される。これにより、窓材１００の内側での温度上昇を抑制することができる。
【００４６】
上述したように、熱線遮蔽シート３が窓材１００に貼着された状態においては、光透過シート３の各凹部４２において空気が残存している領域が、熱線遮蔽シート３と窓材１００の吸着面との間の空隙となる。この空隙により、熱線遮蔽シート３及び窓材１００に対して太陽光が照射された場合に放熱が図られ、窓材１００の熱割れの発生を抑制することができる。
【００４７】
なお、本実施の形態では光透過シート３の内側の面のみに複数の凹部４１，４１，…及び凹部４２，４２，…が設けられているが、外側の面にも同様に複数の凹部が設けられていてもよい。また、本実施の形態では、各凹部が熱線遮蔽部として機能するが、これに代えて、またはこれと共に、光透過シート３の他の領域に熱線遮蔽部が形成されていてもよい。
【００４８】
なお、上述した各実施の形態を組み合わせて新たな実施の形態を得ることができる。
【産業上の利用可能性】
【００４９】
本発明の熱線遮蔽シートは、例えば建物に設けられる採光窓又は自動車のフロントガラスなどに貼付される熱線遮蔽シートなどとして有用である。
【符号の説明】
【００５０】
１，３  熱線遮蔽シート
２，４  光透過シート
２１  吸盤
２１ａ  吸着面
２１ｂ  軸部
２２  熱線遮蔽部
４１，４２  凹部
４１ａ，４２ａ  凹面
１００  窓材
【図１】
0006593748.tif 000002
【図２】
0006593748.tif 000003
【図３】
0006593748.tif 000004
【図４】
0006593748.tif 000005
【図５】
0006593748.tif 000006
【図６】
0006593748.tif 000007
【図７】
0006593748.tif 000008
【図８】
0006593748.tif 000009
【図９】
0006593748.tif 000010
【図１０】
0006593748.tif 000011
【図１１】
0006593748.tif 000012
【図１２】
0006593748.tif 000013
【図１３】
0006593748.tif 000014
【図１４】
0006593748.tif 000015